(57)【要約】【課題】押し込んだ片側だけが係脱するハーフロックを防止でき、双方を押し込んだときだけ注出キャップが外せる押しボタン引き取り式の給液タンクを提供すること。【解決手段】注出キャップ２を注出口３に被嵌して軸方向に押し下げると、係止部５が係合部４に係止付勢により係止して抜け止め状態となり、逆に注出口３の外周面に設けた押し操作部７を押動することで係止付勢に抗して係止部５が没動方向に移動して係合部４から係脱し注出キャップ２を取り外せるように構成した給液タンクであって、押し操作部７を対向状態に注出キャップ２に設け、押し操作部７の押動のみではこれに連動する一方の係止部５は係合部４から係脱せず、少なくとも一つの係止部５は双方の押し操作部７の押動によって連動して係合部４から係脱し、双方の押し操作部７の押動によって双方の係止部５が係合部４から係脱しなければ注出キャップ２を注出口３から取り外せないように構成した給液タンク。【選択図】図２
2008045838.tif 000002
【特許請求の範囲】
【請求項１】
タンク本体に筒状に突設した注出口に、注出機構を設けた注出キャップを着脱自在に設け、前記注出口の外周面に設けた係合部と、前記注出キャップの内周面に突没動自在に突設されて前記係合部に係脱自在に係止し係止状態においては注出キャップを抜け止め状態とする係止部と、この係止部を突出方向に付勢して係止付勢する係止付勢部と、この係止付勢部の係止付勢に抗して前記係止部を没動方向に移動させて前記係合部との係止状態を解除させる前記注出キャップの外周面に設けた押し操作部とから成る係止機構を備えて、前記注出キャップを前記注出口に被嵌してこの注出口の軸方向に押し下げることで、前記係止部が前記係合部に前記係止付勢部の係止付勢により係止して抜け止め状態となり、逆に注出口の外周面に設けた前記押し操作部を押動することで前記係止付勢に抗して係止部が没動方向に移動して係合部から係脱し注出キャップを注出口から取り外せるように構成した給液タンクであって、前記係合部に係止する前記係止部を、対向状態若しくは間隔を置いて周方向に複数前記注出キャップの内周面から内側へ突没動自在に突出配設し、前記押し操作部を対向状態若しくは間隔を置いて周方向に複数前記注出キャップの外周面に露出状態に配設し、前記一つの押し操作部の押動のみではこれに連動する前記一つの係止部は前記係合部から係脱する位置まで没動方向に移動せず、少なくとも前記一つの係止部は前記二つ以上の押し操作部の押動によって連動して前記係合部から係脱する位置まで没動方向に移動し、且つ少なくとも前記二つ以上の係止部が前記二つ以上の押し操作部の押動によって前記係合部から係脱しなければ前記注出キャップを前記注出口から取り外せないように構成したことを特徴とする給液タンク。
【請求項２】
筒状に形成した前記注出キャップの外周面の片手の異なる指先で夫々内側へ押動できる位置に複数の前記押し操作部を露出状態に設け、少なくとも前記二つ以上の押し操作部に夫々この押し操作部の押動を伴って移動する連動用伝達部を複数設け、この一つの押し操作部に設けた複数の各連動用伝達部を、異なる前記係止部の連結部に連結して、押し操作部を押動すると前記連動用伝達部を介して複数の係止部に没動方向に移動する没動力が伝達されるように構成し、且つ前記二つ以上の係止部の連結部に夫々前記異なる押し操作部に設けた前記連動用伝達部が連結されるように構成して、一つの押し操作部のみを押動しても前記係止部は前記係合部から係脱せず、複数の押し操作部を押動した際に各連動用伝達部を介してこの没動力が伝達されて、複数の係止部が係合部から係脱するように構成したことを特徴とする請求項１記載の給液タンク。
【請求項３】
前記押し操作部を前記注出キャップの外周面に露出状態にして対向状態に設け、この二つの押し操作部の間に配設されるようにして前記係止部を対向状態に注出キャップの内周面から内側に突出配設し、前記二つの押し操作部に前記連動用伝達部を対向状態に二つずつ設け、この各押し操作部に設けた各連動用伝達部を夫々各係止部の連結部に連結して、前記一方の押し操作部を押動すると各連動用伝達部を介して双方の係止部を没動方向に移動させる没動力が伝達されるが双方の係止部共前記係合部から係脱せず、双方の押し操作部が押動された際には各係止部に各連動用伝達部を介して前記双方の押し操作部の押動による前記没動力が協動して双方の係止部が前記係合部から係脱するように構成したことを特徴とする請求項２記載の給液タンク。
【請求項４】
筒状に形成した前記注出キャップに、前記連動用伝達部を対称状態に両端部に設けた前記押し操作部を外周面から押ボタン面を露出状態にして対称状態に配設し、この押し操作部間に配設されるように前記係止部を内端部を内周面から突出状態にして対称状態に設け、この各係止部の両端部に対称状態に設けた前記連結部若しくは前記連結部の両端部に、前記異なる押し操作部の夫々の一方側の前記連動用伝達部を連結して前記係止機構を対称構造として、各押し操作部の押動によって各係止部に伝達する前記没動力が均等となるように構成し、一方の押し操作部のみを押動しても各係止部の少なくとも一端部が未だ前記係合部から係脱せず、双方の押し操作部を押動することで、各係止部に均等に前記没動力が協動し各係止部の両端部共前記係合部から係脱して、双方の押し操作部を押動してはじめて前記注出キャップを前記注出口から取り外せるように構成したことを特徴とする請求項３記載の給液タンク。
【請求項５】
前記連動用伝達部と前記係止部の連結部とは、前記押し操作部の内方への押動による前記連動用伝達部の内方への可動によって、前記係止部を逆方向の外方の没動方向への移動に変換するカム溝とカムピンとの係合による移動方向変換連結機構を介して連結したことを特徴とする請求項２〜４のいずれか１項に記載の給液タンク。
【請求項６】
前記カム溝やカムピン又は前記係止部の被支承面や係止部を支承する支承部の支承面等の前記係止部の突没動に際しての突没動摺動面に、クロムメッキやフッ素コーティング等の潤滑性が高いメッキ若しくはコーティングを施す又は潤滑性の高い樹脂材料で形成したことを特徴とする請求項５記載の給液タンク。
【請求項７】
前記注出口の外周面形状は、この注出口の軸方向の突出方向を上、タンク内方向を下とした場合、前記注出口を仮被嵌支承するストレート垂下上端周面に、下方へ行く徐々に径大となるテーパ周面を連設し、このテーパ周面の下端に急激に径小となる前記係合部としての落ち込み周面を連設し、前記係止部が前記落ち込み周面に落ち込む直前の前記テーパ周面の下端に位置したとき、前記注出キャップの前記係止部より下方の内周面が当接するキャップ傾き防止周面を前記落ち込み周面の下端に連設した外周面形状に設定したことを特徴とする請求項１〜６のいずれか１項に記載の給液タンク。
【請求項８】
前記注出キャップは、筒状に突設された前記注出口の外周面に被嵌当接する内周面で形成される筒状部の上部に前記注出機構を設け、前記係合部に係止する内端部を内周面に設けた突出口から突出状態にして係止部を配設する収納部を前記筒状部の下部外側に設けたキャップ本体に、前記押し操作部の押ボタン面を外周面に設けた窓口より露出状態に設けたキャップ外周グリップ部を、前記押し操作部の押動に連動して前記係止部が没動方向に移動するように組み付け構成したことを特徴とする請求項１〜７のいずれか１項に記載の給液タンク。
【請求項９】
前記係止部の前記収納部に支承される突没動摺動面に、接触面積を少なくする凸部を設けたことを特徴とする請求項８記載の給液タンク。
【請求項１０】
前記移動方向変換連結機構の前記カム溝と前記カムピンがスライド係合する前記係止部の連結部の上面と前記押し操作部の連動用伝達部の下面とのスライド摺動面の位置を、前記係止部の前記係合部に係止する内端部が突出する前記突出口の上端縁より上方に設定したことを特徴とする請求項５，６のいずれか１項及び請求項８，９のいずれか１項に記載の給液タンク。
【請求項１１】
前記注出キャップを取り外した前記注出口から燃油を給油しこの注出口に注出キャップを被嵌係止して、油受面上に倒立させて載置し、前記注出キャップに設けた前記注出機構を介して前記油受面に燃油を給油するカートリッジ式給油タンクに構成したことを特徴とする請求項１〜１０のいずれか１項に記載の給液タンク。
【請求項１２】
前記請求項１〜１１のいずれか１項に記載の給液タンクを着脱自在に備えたことを特徴とする燃焼暖房機等の液消費機器。
【発明の詳細な説明】
【技術分野】
【０００１】
本発明は、例えば燃焼暖房機や加湿機等の液消費機器における給液タンクに関するものである。
【背景技術】
【０００２】
一般に燃焼暖房機や加湿機等の液消費機器に用いられる給液タンクは、例えば液受面に着脱自在に倒立させて載置し、燃焼や気化等の液消費につれて液受面が下がることで、自動的にタンク内に気泡が導入されつつタンク内の液が注出口に設けた注出キャップの注出機構を介して給液されるカートリッジ式の給液タンクとして使用されている。
【０００３】
例えば、灯油等の燃油を給油するカートリッジ式の給油タンクは、金属製のタンク本体の上部に金属製の注出口(タンク口金)が突設されていて、これに弁機構を備えた注出機構を設けた注出キャップ(給油口蓋)を取り付け、これを倒立状態にして開弁作用部となるピン状部によって注出機構を開弁した状態で油受皿部上(油受面上)に載置し、燃焼によって燃油が消費されて油受皿部の液面が下がると、注出機構を介してタンク内に気泡が導入されつつこの気泡分だけタンク内の燃油が注出され給油される。
【０００４】
タンクに補充給油するときは、このカートリッジ式の給油タンクを機器から取り出して、注出口の注出キャップを外し、タンク内に燃油を給油する。
【０００５】
このような給液タンクの注出口に取り付ける注出キャップは、注出口外周に設けた螺子部に注出キャップを螺着する構造であった。即ち、注出キャップを回して取り外し、回して取り付けるものである。
【０００６】
特にこのような構成の場合は、前述のように注出機構を介して液受面に倒立状態に載置して給液するため、注出キャップは汚れ易く、注出キャップの取り外しに際して手が汚れる心配があった。
【０００７】
そのため、レバーを引くと閉塞キャップがバネ付勢で開放したり、注出キャップの周りに更にグリップ外周部を増設したり、様々な提案がなされてきている。
【０００８】
出願人は、回し操作を不要にしてできるだけ余計な部分に触ることなく、しかも開放時にバネ付勢による過大な開き惰性もかかることなく、簡単にワンタッチで着脱できるようにすべく、注出キャップを被せて押し込むだけで取り付けでき、また押し操作部を押し込むだけで簡単に外れる螺子式でない押しボタン片手引取り式の注出キャップを開発した。
【０００９】
【特許文献１】特開２００５−１９５１９５号公報
【発明の開示】
【発明が解決しようとする課題】
【００１０】
本発明は、この押しボタン片手引取り式の注出キャップの開発の中で、更に試行錯誤を繰り返し、注出キャップの係止と係止解除がワンタッチで確実に行われ、しかも簡易な押し操作で係脱するものの二つ以上の押し操作部の双方とも押さなければ注出キャップが外れなく、逆に双方共押し操作すれば、スムーズに係脱して注出キャップを取り外せ、更に押し込んだ片側だけが係脱して不安定な状態となること(ハーフロック)をも防止できる等様々な実用上の画期的な効果を発揮する極めて実用性に秀れた画期的な給液タンク並びに燃焼暖房機等の液消費機器を提供することを目的としている。
【課題を解決するための手段】
【００１１】
添付図面を参照して本発明の要旨を説明する。
【００１２】
タンク本体１に筒状に突設した注出口３に、注出機構10を設けた注出キャップ２を着脱自在に設け、前記注出口３の外周面に設けた係合部４と、前記注出キャップ２の内周面に突没動自在に突設されて前記係合部４に係脱自在に係止し係止状態においては注出キャップ２を抜け止め状態とする係止部５と、この係止部５を突出方向に付勢して係止付勢する係止付勢部６と、この係止付勢部６の係止付勢に抗して前記係止部５を没動方向に移動させて前記係合部４との係止状態を解除させる前記注出キャップ２の外周面に設けた押し操作部７とから成る係止機構８を備えて、前記注出キャップ２を前記注出口３に被嵌してこの注出口３の軸方向に押し下げることで、前記係止部５が前記係合部４に前記係止付勢部６の係止付勢により係止して抜け止め状態となり、逆に注出口３の外周面に設けた前記押し操作部７を押動することで前記係止付勢に抗して係止部５が没動方向に移動して係合部４から係脱し注出キャップ２を注出口３から取り外せるように構成した給液タンクであって、前記係合部４に係止する前記係止部５を、対向状態若しくは間隔を置いて周方向に複数前記注出キャップ２の内周面から内側へ突没動自在に突出配設し、前記押し操作部７を対向状態若しくは間隔を置いて周方向に複数前記注出キャップ２の外周面に露出状態に配設し、前記一つの押し操作部７の押動のみではこれに連動する前記一つの係止部５は前記係合部４から係脱する位置まで没動方向に移動せず、少なくとも前記一つの係止部５は前記二つ以上の押し操作部７の押動によって連動して前記係合部４から係脱する位置まで没動方向に移動し、且つ少なくとも前記二つ以上の係止部５が前記二つ以上の押し操作部７の押動によって前記係合部４から係脱しなければ前記注出キャップ２を前記注出口３から取り外せないように構成したことを特徴とする給液タンクに係るものである。
【００１３】
また、筒状に形成した前記注出キャップ２の外周面の片手の異なる指先で夫々内側へ押動できる位置に複数の前記押し操作部７を露出状態に設け、少なくとも前記二つ以上の押し操作部７に夫々この押し操作部７の押動を伴って移動する連動用伝達部11を複数設け、この一つの押し操作部７に設けた複数の各連動用伝達部11を、異なる前記係止部５の連結部９に連結して、押し操作部７を押動すると前記連動用伝達部11を介して複数の係止部５に没動方向に移動する没動力が伝達されるように構成し、且つ前記二つ以上の係止部５の連結部９に夫々前記異なる押し操作部７に設けた前記連動用伝達部11が連結されるように構成して、一つの押し操作部７のみを押動しても前記係止部５は前記係合部４から係脱せず、複数の押し操作部７を押動した際に各連動用伝達部11を介してこの没動力が伝達されて、複数の係止部５が係合部４から係脱するように構成したことを特徴とする請求項１記載の給液タンクに係るものである。
【００１４】
また、前記押し操作部７を前記注出キャップ２の外周面に露出状態にして対向状態に設け、この二つの押し操作部７の間に配設されるようにして前記係止部５を対向状態に注出キャップ２の内周面から内側に突出配設し、前記二つの押し操作部７に前記連動用伝達部11を対向状態に二つずつ設け、この各押し操作部７に設けた各連動用伝達部11を夫々各係止部５の連結部９に連結して、前記一方の押し操作部７を押動すると各連動用伝達部11を介して双方の係止部５を没動方向に移動させる没動力が伝達されるが双方の係止部５共前記係合部４から係脱せず、双方の押し操作部７が押動された際には各係止部５に各連動用伝達部11を介して前記双方の押し操作部７の押動による前記没動力が協動して双方の係止部５が前記係合部４から係脱するように構成したことを特徴とする請求項２記載の給液タンクに係るものである。
【００１５】
また、筒状に形成した前記注出キャップ２に、前記連動用伝達部11を対称状態に両端部に設けた前記押し操作部７を外周面から押ボタン面を露出状態にして対称状態に配設し、この押し操作部７間に配設されるように前記係止部５を内端部５Ａを内周面から突出状態にして対称状態に設け、この各係止部５の両端部に対称状態に設けた前記連結部９若しくは前記連結部９の両端部に、前記異なる押し操作部７の夫々の一方側の前記連動用伝達部11を連結して前記係止機構８を対称構造として、各押し操作部７の押動によって各係止部５に伝達する前記没動力が均等となるように構成し、一方の押し操作部７のみを押動しても各係止部５の少なくとも一端部が未だ前記係合部４から係脱せず、双方の押し操作部７を押動することで、各係止部５に均等に前記没動力が協動し各係止部５の両端部共前記係合部４から係脱して、双方の押し操作部７を押動してはじめて前記注出キャップ２を前記注出口３から取り外せるように構成したことを特徴とする請求項３記載の給液タンクに係るものである。
【００１６】
また、前記連動用伝達部11と前記係止部５の連結部９とは、前記押し操作部７の内方への押動による前記連動用伝達部11の内方への可動によって、前記係止部５を逆方向の外方の没動方向への移動に変換するカム溝12とカムピン13との係合による移動方向変換連結機構14を介して連結したことを特徴とする請求項２〜４のいずれか１項に記載の給液タンクに係るものである。
【００１７】
また、前記カム溝12やカムピン13又は前記係止部５の被支承面や係止部５を支承する支承部の支承面等の前記係止部５の突没動に際しての突没動摺動面に、クロムメッキやフッ素コーティング等の潤滑性が高いメッキ若しくはコーティングを施す又は潤滑性の高い樹脂材料で形成したことを特徴とする請求項５記載の給液タンクに係るものである。
【００１８】
また、前記注出口３の外周面形状は、この注出口３の軸方向の突出方向を上、タンク内方向を下とした場合、前記注出口３を仮被嵌支承するストレート垂下上端周面21に、下方へ行く徐々に径大となるテーパ周面22を連設し、このテーパ周面22の下端に急激に径小となる前記係合部４としての落ち込み周面４を連設し、前記係止部５が前記落ち込み周面４に落ち込む直前の前記テーパ周面22の下端に位置したとき、前記注出キャップ２の前記係止部５より下方の内周面が当接するキャップ傾き防止周面23を前記落ち込み周面４の下端に連設した外周面形状に設定したことを特徴とする請求項１〜６のいずれか１項に記載の給液タンクに係るものである。
【００１９】
また、前記注出キャップ２は、筒状に突設された前記注出口３の外周面に被嵌当接する内周面で形成される筒状部20の上部に前記注出機構10を設け、前記係合部４に係止する内端部５Ａを内周面に設けた突出口15から突出状態にして係止部５を配設する収納部19を前記筒状部20の下部外側に設けたキャップ本体16に、前記押し操作部７の押ボタン面を外周面に設けた窓口18より露出状態に設けたキャップ外周グリップ部17を、前記押し操作部７の押動に連動して前記係止部５が没動方向に移動するように組み付け構成したことを特徴とする請求項１〜７のいずれか１項に記載の給液タンクに係るものである。
【００２０】
また、前記係止部５の前記収納部19に支承される突没動摺動面に、接触面積を少なくする凸部25を設けたことを特徴とする請求項８記載の給液タンクに係るものである。
【００２１】
また、前記移動方向変換連結機構14の前記カム溝12と前記カムピン13がスライド係合する前記係止部５の連結部９の上面と前記押し操作部７の連動用伝達部11の下面とのスライド摺動面の位置を、前記係止部５の前記係合部４に係止する内端部５Ａが突出する前記突出口15の上端縁より上方に設定したことを特徴とする請求項５，６のいずれか１項及び請求項８，９のいずれか１項に記載の給液タンクに係るものである。
【００２２】
また、前記注出キャップ２を取り外した前記注出口３から燃油を給油しこの注出口３に注出キャップ２を被嵌係止して、油受面24上に倒立させて載置し、前記注出キャップ２に設けた前記注出機構10を介して前記油受面24に燃油を給油するカートリッジ式給油タンクに構成したことを特徴とする請求項１〜１０のいずれか１項に記載の給液タンクに係るものである。
【００２３】
また、前記請求項１〜１１のいずれか１項に記載の給液タンクを着脱自在に備えたことを特徴とする燃焼暖房機等の液消費機器に係るものである。
【発明の効果】
【００２４】
本発明は上述のように構成したから、注出キャップの係止と係止解除がワンタッチで確実に行われ、しかも簡易な押し操作で係脱するものの二つ以上の押し操作部を双方共押さなければ注出キャップが外れなく、逆に押し操作すれば、スムーズに係脱して注出キャップを取り外せ、更に押し込んだ片側だけが係脱して不安定な状態となること(ハーフロック)が生じにくく、衝撃や押し加減の違い等から片側のみだけ押されたり誤って反対側だけ十分に押さなかった場合でも、その片側だけ係脱したハーフロック等の不安定な状態は生じにくく、二つ以上の押し操作部を押すことで初めてスムーズに外せる等実用性に秀れた画期的な給液タンクとなる。
【００２５】
また、請求項２，３，４，５記載の発明においては、簡易な構成で容易に本発明を実現でき、片手で簡単に注出キャップを着脱でき、例えば単に片手の指で夫々押し操作部を押すだけで良く、たとえ片側だけを押したり反対側だけ十分に押さなかったとしても片側だけが外れることがなく、双方の押し操作部を十分に押したときだけ係止部が係脱して注出キャップを取り外せ、ハーフロックが生じにくく装着性能に秀れた本発明を容易に実現できる一層実用性に秀れた極めて画期的な給液タンクとなる。
【００２６】
また、請求項６記載の発明においては、移動方向変換連結機構のカム溝に対するカムピンの動きがスムーズになり移動方向変換連結機構を介して押し操作部の押動によって係止部がスムーズに連動して没動方向に移動し、一層操作性に秀れ、耐久性にも秀れた画期的な給液タンクとなる。
【００２７】
また、請求項７記載の発明においては、注出口に注出キャップを仮被嵌止めするストレート垂下上端周面の下方にテーパ周面を設け、これを緩やかに長く形成することで、仮止め被嵌位置(仮がけ位置)と係止位置との距離を長くでき、この仮がけ位置と係止位置での注出キャップの位置に大きな差があることで一見で係止状態を視認でき着脱の判断が容易となり、また係合部の落ち込みを急激にすることでカチン等の係止音を大きく生じさせて装着感を向上させたり、音的に着脱の判断ができ、また突出付勢されている係止部がこのテーパ周面を係脱時に仮がけ位置に向かって下り注出キャップが上動することによって、係脱させたときの戻り動(上動)がスムーズとなり飛び出し感を一層生じさせ、前記ハーフロック防止とあいまって一層係脱感を向上させることができ、しかも係止部が前記係合部に落ち込む直前の前記テーパ周面の下端に係止部が位置したとき、注出キャップの係止部より下方の内周面が当接するキャップ傾き防止周面を前記係合部(落ち込み周面)の下端に連設した外周面形状に注出口を設定することで、注出キャップの傾き防止によるハーフロックの防止が一層強化される極めて秀れた給液タンクとなる。
【００２８】
また、請求項８記載の発明においては、一層簡易な構成で本発明を実現でき、特に注出口の係合部に係脱する係止部を備えたキャップ本体と、これを連動操作する押し操作部を備えたキャップ外周グリップ部とを別パーツとし、これを組み付ける構成とすることで、汚れることのある注出口の外周面の係合部に係脱する係止部を設けたパーツと手で持つパーツとが分離しこれを組み付けた構成のため手が汚れる心配を全く感じない構成となり、しかも、この外側のパーツのキャップ外周グリップ部には、前述のように係止部を連動操作する押し操作部を設け、係止部を設けないパーツとしたことから、たとえ外側のキャップ外周グリップ部が破損しても係止部を設けたキャップ本体は破損しにくく、押し操作部が破損しても係止状態が確保されるため注出キャップが衝撃や熱影響を受けても注出口から外れにくい保護作用も発揮される極めて秀れた給液タンクとなる。
【００２９】
また、請求項９記載の発明においては、一層前記係止部の係脱に際しての突没動が良好となり、たとえ係止部の突没動摺動面にゴミ等の異物が介入しても摺動しやすくそれだけ耐久性にも秀れ一層実用性に秀れた給液タンクとなる。
【００３０】
また、請求項１０記載の発明においては、前記移動方向変換連結機構の前記カム溝と前記カムピンとがスライド係合する前記係止部の連結部の上面と前記押し操作部の連動用伝達部の下面とのスライド摺動面の位置を、前記係止部の前記係合部に係止する内端部が突出する前記突出口の上端縁より上方に設定したから、この突出口を介してスライド摺動面に異物が侵入しにくく、移動方向変換連結機構の作動に支障が生じにくく、それ故係止部の突没動が一層スムーズに行え耐久性に秀れた給液タンクとなる。
【００３１】
また、請求項１１記載の発明においては、前述のような効果を発揮する極めて実用性に秀れたカートリッジ式給油タンクとなる。
【００３２】
また、請求項１２記載の発明においては、前述のような給液タンクを備えた画期的な燃焼暖房機等の液消費機器となる。
【発明を実施するための最良の形態】
【００３３】
好適と考える本発明の実施形態（発明をどのように実施するか）を、図面に基づいて本発明の作用を示して簡単に説明する。
【００３４】
注出キャップ２を外した注出口３からタンク本体１内へ給液した後、注出口３に注出キャップ２を被嵌してこの注出口３の軸方向に押し下げると、複数設けた各係止部５の内端部５Ａは注出口３の外周面に沿って注出キャップ２と共に移動し、係止位置まで注出キャップ２を押し下げると係止付勢部６の係止付勢により係止部５の内端部５Ａは、例えばこの係止付勢により自動的に注出口３の外周面に設けた係合部４に夫々落ち込み係止し、この係止部５と係合部４とが係止状態となることで、注出口３に注出キャップ２が抜け止め状態に取り付けられる。
【００３５】
逆に注出口３から注出キャップ２を取り外す場合は、係止機構８を解除して注出口３から注出キャップ２を引き取るが、この場合は複数設けた押し操作部７を押すことで各係止部５を係止付勢に抗して没動方向に移動させ係合部４から係脱させる。
【００３６】
即ち、注出キャップ２の外周面に設けた押し操作部７を片手の指で夫々内側へ押すと、例えば後述する移動方向変換連結機構14によってこれに連動して係止部５は没動方向に移動し、係止部５の内端部５Ａが係合部４から脱するだけ没動する方向に移動すると(係止付勢部６の突出付勢(係止付勢)に抗して移動すると)係止が解除される。
【００３７】
この際、本発明は、前記押し操作部７を対向状態若しくは間隔を置いて周方向に複数注出キャップ２の外周面に露出状態に配設し、一つの押し操作部７の押動のみではこれに連動する一つの係止部５は係合部４から係脱する位置まで没動方向に移動せず、少なくとも一つの係止部５は二つ以上の押し操作部７の押動によって連動して係合部４から係脱する位置まで没動方向に移動し、且つ少なくとも二つ以上の係止部５が二つ以上の押し操作部７の押動によって係合部４から係脱しなければ注出キャップ２を注出口３から取り外せないように構成している。
【００３８】
従って、本発明では、片側の係止部５だけが、片側の押し操作部７の押動によって外れ、片側だけが解除されその他は係止状態となるハーフロックが生じないようにしている。
【００３９】
即ち、片側の押し操作部７だけを押したり、例えば指の押す力が均等でなく人差し指で押す押し操作部７だけを十分に押して親指で押す押し操作部７の押しが不十分であった場合、各押し操作部７と通常通り単に夫々独立に一つの係止部５が一つの押し操作部７と連動するように構成したのでは、前述のように十分に押し得た押し操作部７と連動する係止部５だけが係脱し、その他の係止部５は係止したままとなって、ハーフロックが簡単に生じてしまう。注出キャップ２には装着クリアランスがあるためにやや傾くことが可能であり、また一般にパッキン等によって装着弾性があり係脱時に上方への戻り動付勢等もある場合があることから、全ての指を十分に同時に押し込まない限りハーフロックのような不安定な状態が容易に生じてしまう。
【００４０】
これに対して本発明は、一つの押し操作部７を押動すると、これに連動して一つだけでなく二つ以上の係止部５に、夫々没動方向に移動させる力(没動力)が伝達される。しかも、一つの係止部５が二つ以上の押し操作部７によって連動して係止付勢部６の係止付勢に抗して没動方向に移動するように構成されていて、且つたとえ一つの押し操作部７を押しても各係止部５が十分に移動せず(係合部４から係脱する程まで移動せず)、二つ以上の押し操作部７を押したときに初めてこれらの押動によって各係止部５に各没動力が協動して伝わり、初めて係止部５が係合部４から係脱するように構成している。
【００４１】
更にわかり易く繰り返し説明すると、例えば後述する本実施例のように押し操作部７を対向位置二ヵ所に設け、係止部５をこれと隣り合うようにやはり対向位置二ヵ所に設けた場合で説明すると、この二つの押し操作部７を片手の親指と人差し指で挟んで双方を押し込みそのまま引き取ることとなるが、通常通り単に一つの押し操作部７に対してこれに対応する一つの係止部５が連動して、押し操作部７の押動によって移動方向変換連結機構14を介してこれに対応する係止部５が没動方向に移動し係合部４から外れるように構成したのでは、片側のみを押してしまったり、片側だけが十分に押され反対側の押し力が不足していると、片側の係止部５だけが外れたハーフロックが容易に生じる。
【００４２】
これに対して本実施例は、例えば各係止部５とこれと隣り合う各押し操作部７に設けたその係止部５側の一方の連動用伝達部11とを移動方向変換連結機構14によって夫々連結し、一方の押し操作部７を押すと、その両隣の係止部５が双方共没動方向に移動するが、この一方の押し操作部７の押動だけでは夫々の係止部５の移動が十分でなく係合部４から外れず、双方の押し操作部７を同時に十分に押動すると、初めて各係止部５はこの力が夫々アシストするように協動して十分に没動方向に移動して係合部４から外れるように構成している。
【００４３】
また、例えば後述する実施例のように係止部５の係合部４に係止する内端部５Ａを横幅のある形状とし、一方の押し操作部７を押動しても双方の係止部５の内端部５Ａの一側だけが係合部４から外れる程没動方向に移動するが、横幅があるため反対側はまだ係合部４から外れず、もう一方の押し操作部７をも同時に押動したときに初めて均等に力が伝わりこの内端部５Ａの反対側も没動方向に十分に移動して内端部５Ａの全ての部分が係合部４から外れて係脱するように構成しても良い。
【００４４】
このように本発明では、二つ以上の押し操作部７を移動したときに二つ以上の係止部５が係脱して係止部５が係合部４から外れる。即ち一つの押し操作部７の押動によって二つ以上の係止部５が連動して没動方向に移動し、一つの係止部５に対して二つ以上押し操作部７の押動によってこれが協動して没動方向に移動するように構成することで、たとえ注出口３に注出キャップ２を被嵌するためのクリアランスがあり、このクリアランスにバラツキがあってもハーフロックが極めて生じにくくハーフロックが防止され、装着性能が極めて向上することとなる。
【００４５】
また、例えば注出キャップ２の取り付けに際して、注出口３に注出キャップ２を被嵌しで仮りがけする注出口３のストレート垂下上端周面21の位置から、注出口３の外周面が徐々に径大となるテーパ周面22に沿って係止付勢部６の係止付勢に抗して係止部５を没動方向に移動させつつこのテーパ周面22の下端に設けた急激に径小となる係合部４(落ち込み周面)に係止部５が係止付勢部６の突出付勢によって突出係合(係止)するように構成し、このテーパ周面22を緩やかに長く形成すれば、単に注出口３に注出キャップ２を被嵌した仮がけ位置と、係合部４に係止した係止位置(ロック位置)との上下距離が長く明瞭となり、これが長くなればなるだけ、一見で係止状態かどうかを視認でき(視覚的に係止状態かどうかを見分けることが容易となり)、また係合部４の落ち込み量を大きくすることでカチン等の係止音(係止ロック音)も大きく鳴り装着感も良好となり、音的にも着脱の判断が容易となる。
【００４６】
また、このように構成すれば、前述のように不十分な片側押しだけでは外れずまたハーフロックにもなりにくいことから、一層装着性能が向上し、しかも例えば装着時(係止状態時)に注出機構10位置に設けた弾性力(パッキン等による弾性密着による弾性力等)により外れ付勢(上方への戻り動付勢)が注出口３に対する注出キャップ２に生じるように構成すれば、片側でなく双方の押し操作部７を同時に十分に押動して初めて各係止部５が一斉に係合部４から外れ、これによってこの上端での上方への戻り動付勢によって上動すると共に、テーパ周面22の下端の最大凸部位置を超えると上方への下がりテーパと係止付勢部６によるこれへの押圧付勢によってこの上動が助長され、持ち上げて取り外すに際しての係脱時の明瞭な飛び出し感が良好に生じるようにも容易に構成可能となる。
【実施例】
【００４７】
本発明の具体的な実施例について図面に基づいて説明する。
【００４８】
金属製のタンク本体１に円筒状に突設した金属製の注出口３に、従来例でも前述した開弁作用部たるピン状部26が差し込まれることでバネ付勢に抗して弁部27が内方へ押し込まれて開弁状態となる注出機構10を設けた注出キャップ２を着脱自在に被嵌し、この注出口３の外周面に急激に落ち込む径小部として全周に設けた係合部４と、注出キャップ２の内周面の突出口15から係止付勢部６の突出付勢によって突没動自在に突設されて前記係合部４に係脱自在に係止し係止状態においては注出キャップ２を抜け止め状態とする係止部５と、この係止部５を突出方向に付勢して係止付勢する前記係止付勢部６と、この係止付勢部６の係止付勢に抗して前記係止部５を没動方向に移動させて前記係合部４との係止状態を解除させる前記注出キャップ２の外周面に設けた押し操作部７とから成る係止機構８を備えて、前記注出キャップ２を前記注出口３に被嵌してこの注出口３の軸方向に押し下げることで、前記係止部５が係止付勢部６に付勢された状態で注出口３の外周面に沿って移動して行き前記係合部４に達すると係止付勢部６の突出付勢により係止して抜け止め状態となり、逆に注出口３の外周面に設けた押し操作部７を抗縮バネ28に抗して押動することで、前記係止付勢に抗して係止部５が没動方向に移動して係合部４から係脱し注出キャップ２を注出口３から取り外せるように構成している。
【００４９】
前記係合部４に係止する前記係止部５は、間隔を置いて周方向に二つに限らず三つあるいは四つ注出キャップ２に設け、前記押し操作部７も間隔を置いて周方向に二つに限らず三つあつるいは四つ設けても良いが、本実施例では、係止部５も押し操作部７も二つずつ対向状態に設けて周方向に交互に配して、夫々を連結して押し操作部７の押動に係止部５が連動するように構成している。
【００５０】
即ち、押し操作部７を注出キャップ２の外周面に露出状態にして対向状態に設け、この二つの押し操作部７の間に配設されるようにして前記係止部５を対向状態に注出キャップ２の内周面から内側に突出配設している。
【００５１】
そして一方の押し操作部７の押動によって一方の係止部５だけでなく双方の係止部５が没動方向に移動するように構成し、且つこの一方の押し操作部７の押動のみではこれに連動するいずれの係止部５も前記係合部４から係脱する位置までは没動方向に移動せず、しかし、双方の押し操作部７が押動されると各係止部５に夫々この押動による係止部５を没動方向へ移動させる力(没動力)が均等に伝達され、これが各係止部５において夫々協動して(たし合わされて)双方の係止部５が、この双方の押し操作部７を同時に押す押動によって、初めて係合部４から係脱する程没動方向に移動し、この双方の係止部５が双方の押し操作部７の押動によって係合部４から係脱しなければ注出キャップ２を注出口３から引き取れないように構成している。
【００５２】
更に、説明すると、樹脂成形する双方の押し操作部７に夫々この押し操作部７の押動に伴って移動する連動用伝達部11を左右に一体突出形成し、この押し操作部７を夫々抗縮バネ28で支持すると共にこの一つの押し操作部７の左右に一体突出形成した各連動用伝達部11を、異なる前記係止部５の連結部９の左右の一方に夫々連結して、押し操作部７を押動すると前記連動用伝達部11を介して左右の係止部５に夫々没動力が伝達されるように構成し、双方の係止部５の連結部９に前記異なる押し操作部７から突出した片側の連動用伝達部11が夫々連結されるように構成している。
【００５３】
従って、前述のように一方の押し操作部７のみを押動しても前記係止部５は前記係合部４から係脱せず、双方の押し操作部７を同時に押動した際に各連動用伝達部11を介してこの没動力が夫々の係止部５にたし合わされるように伝達されて、双方の押し操作部７を同時に押動した時だけ双方の係止部５が係合部４から係脱するように構成している。
【００５４】
更に説明すれば、本実施例では双方の押し操作部７の押動による係止部５へ伝達される没動力が夫々均等となるように各押し操作部７の左右両端部に注出キャップ２の周方向に沿うような形で前記連動用伝達部11を対称状態にして突出状態に設け、この押し操作部７を注出キャップ２の窓口18から押ボタン面を露出状態にして対称状態に配設し、この押し操作部７間に配設されるように前記係止部５を内端部５Ａを内周面の突出口15から突出状態にして対称状態に設け、この各係止部５の背部の連結部９の左右両端部に、前記異なる押し操作部７の夫々の一方側の前記連動用伝達部11を連結して前記係止機構８を対称構造として、各押し操作部７の押動によって各係止部５に伝達する没動力が均等となるように構成している。
【００５５】
即ち、一つの係止部５の背部に設けた連結部９の左右両端部に夫々の側で隣り合う押し操作部７のその係止部５に向けた一方の連動用伝達部11と連結し、双方の係止部５には夫々双方の押し操作部７からその係止部５に向かって延びた二つの連動用伝達部11が夫々連結され、しかも連動用伝達部11と前記係止部５の連結部９とは、前記押し操作部７の内方への押動による前記連動用伝達部11の内方への可動によって、前記係止部５を逆方向の外方の没動方向への移動に変換するカム溝12とカムピン13との係合による移動方向変換連結機構14を介して連結している。本実施例では、各係止部５の背部の連結部９の左右上面に、突没方向に対して傾斜したカム溝12を凹設し、この連結部９の上面に重合する連動用伝達部11の先端部に、前記カム溝12に差し込まれてスライド自在に係合するカムピン13を垂設している。
【００５６】
また、本実施例では、係止部５の係合部４に係止する内端部５Ａを横幅のある形状とし、一方の押し操作部７を押動しても双方の係止部５の内端部５Ａの一側だけが係合部４から外れる程没動方向に移動するが、横幅があるため反対側はまだ係合部４から外れず、もう一方の押し操作部７をも同時に押動したときに初めてこの内端部５Ａの反対側も没動方向に十分に移動して内端部５Ａの全ての部分が係合部４から外れて係脱するように構成している。
【００５７】
従って、一方の押し操作部７のみを押動しても各係止部５の一端部が未だ前記係合部４から係脱せず突出したままとなり、双方の押し操作部７を同時に押動することで、各係止部５に均等に前記没動力がアシストするように協動し各係止部５の両端部共前記係合部４から係脱して、双方の押し操作部７を押動してはじめて注出キャップ２を注出口３から取り外せるように構成している。
【００５８】
また一方、本実施例の前記注出口３の外周面形状は、この注出口３の軸方向の突出方向を上、タンク内方向を下とした場合、前記注出キャップ２を被せ載せて仮被嵌支承するストレート垂下上端周面21に、下方へ行く徐々に径大となるテーパ周面22を連設し、このテーパ周面22の下端に急激に径小となる前記係合部４としての落ち込み周面４を連設し、前記係止部５が前記落ち込み周面４に落ち込む直前の前記テーパ周面22の下端に位置したとき、前記注出キャップ２の前記係止部５より下方の内周面が当接するキャップ傾き防止周面23を前記落ち込み周面４の下端に連設した外周面形状に設定している。
【００５９】
本実施例では、このテーパ周面22を緩やかに長く形成して、単に注出口３に注出キャップ２を被嵌した仮がけ位置と、係合部４に係止した係止位置(ロック位置)との上下距離が長く明瞭となるように構成し、一見で係止状態かどうかを視認でき(視覚的に係止状態かどうかを見分けることが容易となり)、また係合部４の深さ即ち係止部５の落ち込み量を大きくすることでカチン等の係止音(係止ロック音)も大きく鳴り装着感も良好となり音による着脱の判断が容易となるように構成している。
【００６０】
更に具体的に説明すると、前記注出キャップ２は、前記注出口３の外周面に被嵌当接するキャップ状の内周面で形成される金属製の筒状部20の上部の開口部を前記注出機構10で閉塞する構成とし、また前述のようにこの注出機構10はピン状部26により弁部27がバネ付勢に抗して差し込まれることで注出路が形成されて開弁状態となる構成とし、更に前記係合部４に係止する内端部５Ａを内周面に設けた突出口15から突出状態にしてこの係止部５を突没動自在に配設する収納部19を、前記金属製のキャップ状の筒状部20の下端全周に折り返しフランジ部を形成して設けたキャップ本体16と、前記押し操作部７の押ボタン面を外周面に設けた窓口18より露出状態にバネ支承状態に設けたキャップ外周グリップ部17とから構成し、このキャップ本体16にキャップ外周グリップ部17を被嵌しつつ、前記移動方向変換連結機構14のカム溝12とカムピン13とが係合するように組み付けて、前記押し操作部７の押動に連動して前記係止部５が没動方向に移動するように組み付け構成している。
【００６１】
即ち更に具体的に説明すると、キャップ本体16は、前記キャップ状の注出機構10を設けた金属製の筒状部20の下端全周に前記係止部５の取付部として金属製の前記収納部19を一体形成し、この収納部19に内側方向に突没動自在に係止部５を載置収納した構成としている。
【００６２】
具体的には、潤滑性の良い樹脂で一体成形した二つの係止部５を対向状態に収納部19に、その内端部５Ａが突出口15から突設するように載置収納して、この収納部19内において係止部５はやや湾曲した横長形状に構成して筒状部20を囲むように収納されるように構成している。
【００６３】
即ち、この収納部19内に載置収納した係止部５の内端部５Ａはこの筒状部20の下端に設けた突出口15から内方へ突出可能に設けられ、この係止部５の背部から内方へ押すようにコイルバネを採用した金属製の前記係止付勢部６をこの係止部５と共に収納部19内に収納し、この係止部５の内端部５Ａを内方へ突出付勢して突出状態となるように構成している。
【００６４】
従って、キャップ本体16はこの筒状部20と収納部19とからなるキャップ状の金属パーツに、潤滑性の良い材料で形成した樹脂製の係止部５と金属製の係止付勢部６とを収納した構成としている。
【００６５】
また更に、本実施例では、この係止部５の注出キャップ２の外周面と摺動接触し収納部19の支承面にも摺動接触する摺動接触部分となる内端部５Ａ及び底面を潤滑性の良い樹脂製とすべく係止部５自体を樹脂で形成して、摺動接触部分を樹脂製とすることで突没動及び係脱もがスムーズとなるように構成しているが、たとえ樹脂部が熱で損傷しても係止状態が確保されるべく以下のように構成している。
【００６６】
即ち、前記キャップ本体16は金属製とし、前記係止部５の前記係合部４に係合する内端部５Ａは少なくとも前記係合部４に接触する部分の全部を、金属部５Ｋをインサート樹脂成形して金属部５Ｋを樹脂部で被覆形成した構成とし樹脂部とし、金属製のキャップ本体16に設けた金属製の係止付勢部６により突出方向に付勢された係止部５の内端部５Ａの金属部５Ｋが、金属製の前記注出口３の外周面に設けた係合部４に前記樹脂部を介して係止するように構成している。
【００６７】
即ち、本実施例では、板状の金属部５Ｋをインサート成形し、係止部５の内端部５Ａの摺動接触部分(係合部４との係止に際しての係止先端部)を樹脂部としているが、係合部４との係止位置には樹脂部内に金属部５Ｋを配し、しかもこの金属部５Ｋを係止付勢部６が押圧付勢するように構成し、樹脂部が仮に損傷したり熱で溶けてもこの係止状態は残った金属パーツ構成のみでもなお確保されるように構成している。
【００６８】
具体的には、係止部５を樹脂成形するに際して係合部４に係止する内端部５Ａを構成する部分の一部に金属部５Ｋとして金属板をインサート成形し、この金属部５Ｋは係合部４に係止する位置に配されるが、係合部４やテーパ周面22等に接触する先端部(摺動接触部分)は樹脂で被覆して樹脂部とし滑動性が良く係脱がスムーズとなるように構成し、もしこの樹脂部が熱で溶けても、この金属部５Ｋが金属製の係止付勢部６で突出付勢されていることで係合部４に係止し、なおも係止状態が保持されるように構成している。
【００６９】
また、このキャップ本体16に設けた係止部５の連結部９に前述のように移動方向変換連結機構14のカム溝12を設け、前記押し操作部７の連動用伝達部11に移動方向変換連結機構14のカムピン13を設け、このカム溝12とカムピン13とをスライド自在に係合しつつキャップ本体16にキャップ外周グリップ部17を組み付けて注出キャップ２を構成している。
【００７０】
即ち、注出キャップ２の前記キャップ本体16は、前述のように金属製とし、押し操作部７を設けたキャップ外周グリップ部17とは無関係に係止状態が保持され、キャップ外周グリップ部17はあくまで係止部５を係脱作動操作させるものとして、樹脂で構成している。
【００７１】
しかも、本実施例では、このようにキャップ外周グリップ部17を樹脂で構成しキャップ本体16の外側に被嵌組み付け構成することで、手が汚れる心配が一切なく、しかも良好なデザインを自由に容易に施し易い構成で、キャップ本体16の係止状態を外側から保護する補強作用や緩衝作用も果たすことができる構成となる。
【００７２】
更に説明すると、本実施例のキャップ外周グリップ部17は、キャップ本体16に被嵌するドーナツ状のグリップ部17Ａに設けたリング状収納部内に前記押し操作部７を対向状態に収納配設し、この押し操作部７の押しボタン面をこのグリップ部17Ａに設けた窓口18から露出状態に配設して抗縮バネ28で支承し、各樹脂成形した押し操作部７の内端部の左右には連動用伝達部11を一体突出形成し、この連動用伝達部11が夫々周方向に延びた構成として、対向する一対の押し操作部７に夫々延設した周方向の連動用伝達部11の先端部にカムピン13を垂下し、このカムピン13がキャップ本体16の係止部５の連結部９に設けたカム溝12に差し込み係合し、押し操作部７の作動によって、突没動方向に対して傾斜しているカム溝12の内面をカンピン13が押して、押し操作部７による内方の押動が係止部５を外方(没動方向)に移動させるように構成している。
【００７３】
従って、前記係止部５と係合部４のバネ付勢による係止状態は、外装部品たるキャップグリップ外周部17で保護され、またたとえ大きく破損しても係止状態が確保されるため、落下等の過度の取り扱いに耐えることができ、熱負荷時でも注出キャップ２が外れず、液漏れが生じない。
【００７４】
またしかも、本実施例では、注出口３のテーパ周面22に合致するテーパ部を注出キャップ２の内周面即ちキャップ本体16の筒状部20に設け、この傾斜部(全周テーパ面部)同志が接触して支持される構成とし、落下時等の衝撃負荷が係止部５にかからないようにして強度を向上させて耐久性を向上させている。
【００７５】
また、このカム溝12やカムピン13も潤滑性の高い樹脂で形成し、また前記係止部５の被支承面となる底面や係止部５を支承する支承部の支承面となるキャップ本体16の収納部19の底面等の前記係止部５の突没動に際しての突没動摺動面となる面にも、注出口３の外周面にも、クロムメッキやフッ素コーティング等の潤滑性が高いメッキ若しくはコーティングを施している。
【００７６】
また、前記係止部５の前記収納部19に支承される突没動摺動面となる被支承面(係止部５の底面)に、接触面積を少なくするリブ状の凸部25を設け、仮に異物が混入してもこれを回避できたりすることで摺動性が良好に維持され、耐久性が向上するように構成している。
【００７７】
また、前記移動方向変換連結機構14の前記カム溝12と前記カムピン13がスライド係合する前記係止部５の連結部９の上面と前記押し操作部７の連動用伝達部11の下面とのスライド摺動面の位置を、前記係止部５の前記係合部４に係止する内端部５Ａが突出する前記突出口15の上端縁より上方に設定している。
【００７８】
そのため、この突出口15の上端より一段高くなっていることから突出口15を介してスライド摺動面に異物が侵入しにくく、移動方向変換連結機構14の作動に支障が生じにくく、それ故係止部５の突没動が一層スムーズに行え耐久性に秀れるように構成している。
【００７９】
尚、本実施例では、前記注出キャップ２を取り外した前記注出口３から燃油を給油しこの注出口３に注出キャップ２を被嵌係止して、油受面24上に倒立させて載置し、前記注出キャップ２に設けた前記注出機構10を介して前記油受面24に燃油を給油する石油ストーブや温風暖房機等の燃焼暖房機等の液消費機器に着脱自在に設けるカートリッジ式給油タンクに構成している。
【００８０】
尚、本発明は、本実施例に限られるものではなく、各構成要件の具体的構成は適宜設計し得るものである。
【図面の簡単な説明】
【００８１】
【図１】本実施例の使用状態の説明斜視図である。
【図２】本実施例の注出口から注出キャップを取り外した状態での注出キャップの一部を切り欠いた説明斜視図である。
【図３】本実施例の注出キャップのキャップ本体とキャップ外周グリップ部とを示すの説明分解斜視図である。
【図４】本実施例の注出キャップの説明分解斜視図である。
【図５】本実施例の注出口から注出キャップを取り外した状態での説明正断面図である。
【図６】本実施例の注出口に注出キャップを取り付ける途中であって、係合部に係止部が落ち込み係合する直前の説明正断面図である。
【図７】本実施例に注出キャップを取り付けた状態(係止状態)の説明正断面図である。
【図８】本実施例の液受面(液受皿部)上に倒立状態に載置した使用状態での説明正断面図である。
【図９】本実施例の係止状態での係止部を示す係止部作動説明平面図である。
【図１０】本実施例の押し操作による係脱状態での係止部を示す係止部作動説明平面図である。
【図１１】本実施例の片押し操作してもハーフロックとならず係止状態の係止部を示す係止部作動説明平面図である。
【図１２】本実施例の注出口に注出キャップを仮がけした位置から係止位置まで押し下げて係止状態とすることを示す注出口に対する注出キャップの係止部の作動を示す係止部作動説明正断面図である。
【図１３】本実施例の金属部を有する係止部の説明平面図である。
【図１４】本実施例の金属部を有する係止部の一部を切り欠いた説明斜視図である。
【図１５】本実施例の係止部の連結部と押し操作部の連動用伝達部11との摺動面位置が係止部の内端部が突出する突出口の上端より高い位置に設定されていることを示す説明正断面図である。
【符号の説明】
【００８２】
１  タンク本体
２  注出キャップ
３  注出口
４  係合部，落ち込み周面
５  係止部
５Ａ  内端部
６  係止付勢部
７  押し操作部
８  係止機構
９  連結部
10  注出機構
11  連動用伝達部
12  カム溝
13  カムピン
14  移動方向変換連結機構
15  突出口
16  キャップ本体
17  キャップ外周グリップ部
18  窓口
19  収納部
20  筒状部
21  ストレート垂下上端周面
22  テーパ周面
23  キャップ傾き防止周面
24  油受面
25  凸部
【図１】
2008045838.tif 000003
【図２】
2008045838.tif 000004
【図３】
2008045838.tif 000005
【図４】
2008045838.tif 000006
【図５】
2008045838.tif 000007
【図６】
2008045838.tif 000008
【図７】
2008045838.tif 000009
【図８】
2008045838.tif 000010
【図９】
2008045838.tif 000011
【図１０】
2008045838.tif 000012
【図１１】
2008045838.tif 000013
【図１２】
2008045838.tif 000014
【図１３】
2008045838.tif 000015
【図１４】
2008045838.tif 000016
【図１５】
2008045838.tif 000017